(57)【要約】【課題】ファスナの蛇行やファスナ正規位置からのずれを防止する。【解決手段】被覆物２を覆う張り材３Ａ，３Ｂの周縁３ｃと周縁３ｄとを分離可能に繋ぐファスナ４と、ファスナ４によって繋がれる一方の周縁３ｃ又は当該一方の周縁３ｃに接続されたファスナ４のテープ４ａを被覆物２のファスナ正規位置Ｐ１に対向する位置Ｐ２に係止する位置決め手段５を備えている。【選択図】図１
2007029152.tif 000002
【特許請求の範囲】
【請求項１】
被覆物を覆う張り材の縁と縁とを分離可能に繋ぐファスナと、前記ファスナによって繋がれる一方の縁又は当該一方の縁に接続された前記ファスナの構成部材を前記被覆物のファスナ正規位置に対向する位置に係止する位置決め手段を備えることを特徴とする張り材の取付構造。
【請求項２】
前記位置決め手段は、前記被覆物に設けられた凹部と、前記一方の縁又は当該一方の縁に接続された前記ファスナの構成部材に設けられて前記凹部に挿入される凸部とを有することを特徴とする請求項１記載の張り材の取付構造。
【請求項３】
前記ファスナはラインファスナであることを特徴とする請求項１又は２記載の張り材の取付構造。
【発明の詳細な説明】
【技術分野】
【０００１】
本発明は、張り材の取付構造に関する。更に詳しくは、本発明は被覆物を覆う張り材をファスナで繋いで使用するタイプの張り材の取付構造に関するものである。
【背景技術】
【０００２】
例えば、椅子の座等では、複数の張り材をファスナで繋いで使用することがある。例えば、座の下側半部を覆う張り材の周縁と上側半部を覆う張り材の周縁とを座の周壁部分で突き合わせてファスナで繋ぎ、座全体を張り材で覆う等である。各張り材は所定の形状，所定の大きさに形成されており、各張り材を座の所定位置に宛がって座のクッション材を潰しながらファスナを閉めると各張り材をピンと張った状態で取り付けることができる。
【０００３】
なお、車両用シートのシートカバーにファスナを設け、ファスナの開閉によってシートカバーを部分的に捲ることができるようにした技術として、例えば実公平５−７９９９号公報に開示された考案がある。このシートカバーを図９〜図１１に示す。シートカバー１０１の背面には２本の切り込みが設けられており、捲ることが可能なカバー部分１０１ａが形成されている。切り込み部分には開閉ファスナ１０２が設けられており、開閉ファスナ１０２の開け閉めによってカバー部分１０１ａの開閉を可能にしている。
【０００４】
開閉ファスナ１０２の両側の縫着部分には隠蔽縁１０３がそれぞれ形成されており、各隠蔽縁１０３を突き合わせることで開閉ファスナ１０２の務歯１０４とテープ１０５を隠し、見栄えの悪化を防止している。各隠蔽縁１０３内には剛性を有する帯状の芯帯１０６が設けられており、隠蔽縁１０３の反り返り変形を防止している。芯帯１０６は、薄板状を成す脚部１０７と、脚部１０７の基端に形成された剛性縁１０８とを一体に備えている。
【０００５】
【特許文献１】実公平５−７９９９号
【発明の開示】
【発明が解決しようとする課題】
【０００６】
しかしながら、上述の上下２枚の張り材をファスナで繋いで座全体を覆う構造では、単に各張り材を座に宛がってファスナで繋ぐだけであるので、閉めた状態のファスナが蛇行したり正規の位置からずれることがある。張り材の取付作業はクッション材を部分的に潰しながらの作業になるので、各張り材を正確に位置決めしながらファスナを閉めるのは困難であり、特に、座の形状が複雑な場合等には更に困難である。ファスナは張り材とともに外観の一部を構成するので、ファスナの線が蛇行したり正規位置からずれると、椅子の座の見栄えが著しく悪化する。そして、このことは椅子の座についての張り材の取り付けに限らず、背もたれやその他のクッション等についての張り材の取り付けでも同様である。
【０００７】
また、ファスナの蛇行や正規位置からのずれが許容できない場合等にはその修正作業が必要になるが、ピンと張った張り材をずらしてファスナを正規位置に移動させる作業は容易ではなく、場合によってはファスナを開けて張り材を緩め、位置修正した後、ファスナを閉め直す必要がある。ただし、この修正作業が一度で上手くいくとは限らず、何度もやり直すこともある。このように、修正作業は煩雑な作業であり、張り材の取付作業の作業効率を著しく悪化させる。
【０００８】
なお、実公平５−７９９９号公報の開閉ファスナ１０２では、芯帯１０６を設けることで隠蔽縁１０３の剛性を大きくしているが、隠蔽縁１０３は開閉ファスナ１０２の位置決めを行うものではないため、この構造を、上述の上下２枚の張り材をファスナで繋いで座全体を覆う構造に適用したとしても、ファスナの蛇行や位置ずれを防止することはできない。
【０００９】
本発明は、ファスナの蛇行やファスナ正規位置からのずれを防止し、ファスナをファスナ正規位置に正しく配置することができる張り材の取付構造を提供することを目的とする。
【課題を解決するための手段】
【００１０】
かかる目的を達成するために請求項１記載の発明は、被覆物を覆う張り材の縁と縁とを分離可能に繋ぐファスナと、ファスナによって繋がれる一方の縁又は当該一方の縁に接続されたファスナの構成部材を被覆物のファスナ正規位置に対向する位置に係止する位置決め手段を備えるものである。
【００１１】
したがって、例えば、被覆物を部分的に覆う複数の張り材をファスナによって繋ぐと、１枚の大きな張り材で被覆物全体を覆うことができる。ここで、複数の被覆材を単にファスナで繋いだだけでは、各張り材の被覆物への宛がい方や各張り材の張り具合の相違等に起因して繋いだファスナが蛇行したり正規の位置（ファスナ正規位置）からずれることがある。本発明では、位置決め手段がファスナによって繋がれる２つの縁の一方又はこれに接続されているファスナの構成部材を被覆物のファスナ正規位置に対する位置に係止するので、ファスナをファスナ正規位置に正しく配置することができる。
【００１２】
なお、ファスナによって繋がれる張り材の縁と縁は、２枚の張り材の縁と縁であっても良いし、１枚の張り材の異なる縁と縁であっても良い。
【００１３】
また、請求項２記載の張り材の取付構造は、位置決め手段が、被覆物に設けられた凹部と、一方の縁又は当該一方の縁に接続されたファスナの構成部材に設けられて凹部に挿入される凸部とを有するものである。したがって、凸部を凹部に挿入すると、凸部が設けられている一方の縁又はファスナの構成部材が正しく位置決めされ、ファスナをファスナ正規位置に正しく配置することができる。
【００１４】
さらに、請求項３記載の張り材の取付構造のように、ファスナはラインファスナであっても良い。
【発明の効果】
【００１５】
請求項１記載の発明では、被覆物を覆う張り材の縁と縁とを分離可能に繋ぐファスナと、ファスナによって繋がれる一方の縁又は当該一方の縁に接続されたファスナの構成部材を被覆物のファスナ正規位置に対向する位置に係止する位置決め手段を備えているので、ファスナをファスナ正規位置に正しく配置することができる。このため、ファスナの蛇行や位置ずれ等を防止することができ、外観の一部となるファスナの線をきれいにだすことができ、見栄えを良くすることができる。また、ファスナの蛇行や位置ずれを防止できるので、蛇行や位置ずれを修正する作業が不要となり、張り材の取付作業が容易となり作業効率を向上させることができる。
【００１６】
また、請求項２記載の張り材の取付構造では、位置決め手段が、被覆物に設けられた凹部と、一方の縁又は当該一方の縁に接続されたファスナの構成部材に設けられて凹部に挿入される凸部とを有しているので、凸部を凹部に挿入することでファスナをファスナ正規位置に正しく配置することができる。このため、簡単にファスナの位置決めを行うことができる。
【００１７】
さらに、請求項３記載の張り材の取付構造のように、ファスナはラインファスナであっても良い。
【発明を実施するための最良の形態】
【００１８】
以下、本発明の構成を図面に示す最良の形態に基づいて詳細に説明する。
【００１９】
図１〜図６に、本発明の張り材の取付構造の実施形態の一例を示す。なお、本実施形態では、椅子の座を覆う張り材の取付構造を例に説明する。ただし、椅子の座以外の被覆物についての張り材の取付構造に適用しても良い。張り材の取付構造１は、被覆物２を覆う張り材３の縁３ｃと縁３ｄとを分離可能に繋ぐファスナ４と、ファスナ４によって繋がれる一方の縁３ｃ又は当該一方の縁３ｃに接続されたファスナ４の構成部材を被覆物２のファスナ正規位置Ｐ１に対向する位置Ｐ２に係止する位置決め手段５を備えている。本実施形態では、後述する下張り材３Ａの周縁３ｃと上張り材３Ｂの周縁３ｄとをファスナ４によって繋いでおり、下張り材３Ａの周縁３ｃに接続されたファスナ４の構成部材であるテープ４ａを位置決め手段５によって被覆物２に係止している。
【００２０】
被覆物２である椅子の座（以下、座２という）は、例えば合板から成る円板状の芯材６と、芯材６の上面６ｃに接着された上側クッション材７と、芯材６の底面６ｂに接着された下側クッション材８より構成されている。なお、上側クッション材７は着座者に対してクッションとして機能させるために設けられているが、下側クッション材８は座２の形状をだすために設けられている。
【００２１】
下側クッション材８の中央には貫通孔８ａが設けられている。また、芯材６の中央には、下側クッション材８の貫通孔８ａよりも小径の貫通孔６ａが設けられている。貫通孔８ａの直径は椅子の脚９に設けられた取付フランジ１０の直径に対応し、貫通孔６ａの直径は脚９の直径に対応している。芯材６の底面６ｂには、貫通孔６ａを囲む例えば４箇所に脚９取付用のナット１４が埋め込まれている。各ナット１４は貫通孔８ａから下方に露出している。
【００２２】
張り材３は、座２全体を覆うカバーであり、本実施形態では座２の下側半部を覆う張り材３（以下、下張り材３Ａという）と上側半部を覆う張り材３（以下、上張り材３Ｂという）の２枚の張り材３によって座２を挟むようにして覆っている。下張り材３Ａの中央には、下側クッション材８の貫通孔８ａとほぼ同径の孔３ｅが設けられている。孔３ｅには脚９が貫通しているため、座２から脚９を取り外さなければ下張り材３Ａを椅子から完全に取り外すことはできないが、ファスナ４を開けて下張り材３Ａから上張り材３Ｂを分離することで上張り材３Ｂを椅子から取り外すことができ、使用者が洗濯等をしたり、例えば色や模様の異なる別の上張り材３Ｂに交換したりすることができる。
【００２３】
ファスナ４は、例えばスライドファスナである。このファスナ４は、スライダ４ｅを一番端まで移動させることで、例えば上張り材３Ｂ側の務歯４ｄの一端に設けられた蝶棒をスライダ４ｅから引き抜いて務歯４ｃ，４ｄを完全に分離できるオープンタイプのもので、務歯４ｃ，４ｄは張り材３Ａ，３Ｂの周縁３ｃ，３ｄにそれぞれ取り付けられている。即ち、一方の務歯４ｃが設けられているテープ４ａは下張り材３Ａの周縁３ｃに、他方の務歯４ｄが設けられているテープ４ｂは上張り材３Ｂの周縁３ｄにそれぞれ取り付けられている。ファスナ４は各張り材３Ａ，３Ｂの全周に亘って取り付けられている。
【００２４】
位置決め手段５は、座２の芯材６に設けられた凹部１１と、下張り材３Ａの周縁３ｃに接続されたテープ４ａに設けられて凹部１１に挿入される凸部１２より構成されている。本実施形態では、テープ４ａに凸部１２を縫い付けることでテープ４ａに凸部１２を設けている。位置決め手段５は、芯材６とテープ４ａの全周に亘って設けられている。
【００２５】
凹部１１は、例えば芯材６の外周面６ｄに全周に亘り設けられた環状溝であり、ファスナ正規位置Ｐ１に対向する位置Ｐ２に設けられている。ここで、ファスナ正規位置Ｐ１とは、張り材３を取り付けた場合のファスナ４の正しい位置（図５に示す位置）であり、ファスナ４がファスナ正規位置Ｐ１に配置されるように設計されている。本実施形態では、芯材６の厚さ方向の中心Ｃにファスナ４が対向するように設計されているので、ファスナ正規位置Ｐ１は芯材６中心Ｃと同じ高さの位置であり、芯材６の厚さ方向の中央に凹部１１が形成されている。芯材６の外周面６ｄを削ることにより環状溝である凹部１１を形成しても良いが、本実施形態では芯材６を複数枚の薄板を貼り合わせた合板で形成しているので、中央に貼り合わせる１枚又は複数枚の薄板を小径にし、その両側に貼り合わせる１枚又は複数枚の薄板を大径にすることで、凹部１１を形成している。ただし、これら以外の手段によって凹部１１を形成しても良い。
【００２６】
凸部１２は、例えば帯部１２ａとチューブ部１２ｂとから成る樹脂コードで、帯部１２ａをテープ４ａに縫い付けることで取り付けられている。凸部１２である樹脂コードは適度の弾性を有しており、チューブ部１２ｂを弾性変形させることで凹部１１に挿入することができる。また、チューブ部１２ｂを凹部１１に挿入した状態では、チューブ部１２ｂが広がろうとすることで凹部１１の内面に当たり、チューブ部１２ｂの抜けを防止する摩擦力が発生する。したがって、チューブ部１２ｂを凹部１１に挿入することで、下張り材３Ａを座２に仮装着することができる。一方、ある程度大きな力でチューブ部１２ｂを引っ張ると、チューブ部１２ｂを凹部１１から引き抜くことができ、下張り材３Ａを座２から取り外すことができる。なお、チューブ部１２ｂを凹部１１に挿入する際、必ずしもチューブ部１２ｂを弾性変形させて凹部１１に挿入するように構成する必要はなく、例えばチューブ部１２ｂの外径寸法を凹部１１の幅寸法と同じ又は若干小さくしておき、弾性変形させずにチューブ部１２ｂを凹部１１に挿入するようにしても良い。即ち、下張り材３Ａを座２に仮装着できる程度にチューブ部１２ｂの凹部１１への挿入状態を維持することができれば、チューブ部１２ｂを凹部１１から簡単に抜けない程度の大きさに形成し、チューブ部１２ｂを弾性変形させずに凹部１１に挿入するようにしても良い。
【００２７】
椅子の脚９の上端近傍には取付フランジ１０が設けられている。取付フランジ１０のナット１４に対向する位置には孔１０ａが設けられている。脚９の上端と取付フランジ１０を下張り材３Ａの孔３ｅと下側クッション材８の貫通孔８ａに挿入し、脚９の上端を芯材６の貫通孔６ａに挿入し、取付フランジ１０を芯材６の底面６ｂに重ね合わせる。そして、ねじ１３を孔１０ａから挿入してナット１４に締め付けることで、座２を脚９に固定することができる。
【００２８】
次に、張り材３Ａ，３Ｂの取り付けについて説明する。まず最初に下側張り材３を座２に仮装着する。下張り材３Ａを座２の下側半部に宛がい、位置決め手段５の凸部１２を凹部１１に挿入する。このとき、凸部１２を端から順に凹部１１に挿入することで作業が容易になる。凸部１２を凹部１１に挿入することでファスナ４の下張り材３Ａ側のテープ４ａが芯材６に係止され、下張り材３Ａが座２に仮装着される。また、位置決め手段５の凹部１１はファスナ正規位置Ｐ１に対向する位置Ｐ２に設けられているので、下張り材３Ａ側の務歯４ｃがファスナ正規位置Ｐ１に位置決めされる。
【００２９】
次に、上張り材３Ｂを座２の上側半部に宛がい、ファスナ４を閉める。即ち、ファスナ４の上張り材３Ｂ側の務歯４ｄの一端に設けられている蝶棒をスライダ４ｅ及び箱４ｆに差し込み、スライダ４ｅを一周させて務歯４ｃ，４ｄを噛み合わせる。これにより、下張り材３Ａの周縁３ｃと上張り材３Ｂの周縁３ｄとが全周に亘って繋がれ、張り材３が座２を覆った状態で取り付けられる。このとき、下張り材３Ａ側の務歯４ｃがファスナ正規位置Ｐ１に位置決めされているので、結局、ファスナ４はファスナ正規位置Ｐ１に正しく配置される。このため、ファスナ４の蛇行や位置ずれを防止することができ、椅子の外観の一部となるファスナ４の線をきれいにだすことができるので、椅子の見栄えを良くすることができる。また、ファスナ４の蛇行や位置ずれを防止できるので、蛇行や位置ずれを修正する作業が不要となり、張り材３の取付作業が容易となり作業効率を向上させることができる。
【００３０】
なお、上述の形態は本発明の好適な形態の一例ではあるがこれに限定されるものではなく本発明の要旨を逸脱しない範囲において種々変形実施可能である。
【００３１】
例えば、上述の説明では、下張り材３Ａの周縁３ｃに接続されたテープ４ａを位置決め手段５によって座２に係止していたが、下張り材３Ａの周縁３ｃを位置決め手段５によって座２に係止しても良い。また、上張り材３Ｂの周縁３ｄに接続されたテープ４ｂを位置決め手段５によって座２に係止するようにしても良く、あるいは上張り材３Ｂの周縁３ｄを位置決め手段５によって座２に係止するようにしても良い。
【００３２】
また、上述の説明では、ファスナ４が例えば務歯型のスライドファスナであったが、務歯型のスライドファスナに限るものではなく、例えば雌雄咬合型のスライドファスナ（凹凸嵌合型ラインファスナ）でも良く、その他のスライドファスナでも良い。
【００３３】
また、ファスナ４は、例えば図７に示すように、下張り材３Ａの周縁３ｃに取り付けた帯状部材１５に上張り材３Ｂの周縁３ｄに取り付けた帯状部材１６を重ね合わせてクリップ状の玉縁１７で挟み付けるタイプのファスナでも良い。なお、位置決め手段５の凸部１２は帯状部材１５に取り付けられている。
【００３４】
また、上述の説明では、ファスナ４が線状のファスナであったが、線状のファスナに限るものではない。例えば、スナップファスナ等の点状のファスナ４を所定間隔で並べる構成でも良い。点状のファスナ４を並べる構成の場合には、位置決め手段５の凸部を下張り材３Ａの周縁３ｃ又は上張り材３Ｂの周縁３ｄに設けることで、張り材３Ａ，３Ｂの周縁３ｃ，３ｄを全周に亘って位置決めし、点状のファスナ４を一列に並べることができる。ただし、各点状のファスナ４毎に位置決め手段５を設けても良い。
【００３５】
また、上述の説明では、帯部１２ａとチューブ部１２ｂとからなる樹脂コードにより凸部１２を構成していたが、この樹脂コードに限らない。例えば図８に示すように、帯部１２ａと鉤状部１２ｃとからなる樹脂コードでも良く、その他の樹脂コードでも良い。
【００３６】
また、凸部１２を樹脂以外の材料で形成しても良い。例えば、凹部１１にある程度安定して嵌り込む材料であれば良く、例えば、ゴム、布、金属等の材料の使用が考えられる。
【００３７】
また、上述の説明では、位置決め手段５の凹部１１を座２側に、凸部１２を張り材３側に設けていたが、凹部１１を張り材３側に、凸部１２を座２側に設けても良い。
【００３８】
また、上述の説明では、凹部１１と凸部１２によって位置決め手段５を構成していたが、係止できるものであれば凹部１１と凸部１２の組み合わせ以外のもので位置決め手段５を構成しても良い。
【００３９】
また、上述の説明では、２枚の異なる張り材３Ａ，３Ｂの周縁３ｃ，３ｄをファスナ４によって繋いでいたが、１枚の同じ張り材３の縁と縁とをファスナ４によって繋ぐ場合にも適用可能である。
【００４０】
また、上述の説明では、椅子の座２を覆う張り材３の取付構造を例にしていたが、適用できるものはこれに限るものではない。例えば、椅子の背もたれ、肘掛け、ヘッドレスト、レッグレスト等の張り材の取付構造に適用しても良い。また、椅子以外のクッション類の張り材の取付構造に適用しても良い。
【図面の簡単な説明】
【００４１】
【図１】本発明の張り材の取付構造の実施形態の一例を示す断面図である。
【図２】位置決め手段の凸部を凹部に挿入し、下張り材を被覆物に取り付ける様子を示す断面図である。
【図３】椅子の座を示し、張り材を取り付けた状態の平面図である。
【図４】椅子の座を示し、張り材を取り付けた状態の底面図である。
【図５】張り材を取り付けた状態の座を脚に固定した様子を示す側面図である。
【図６】張り材を取り付けていない状態の座を脚に固定した様子を示す縦断面図である。
【図７】本発明の張り材の取付構造の他の実施形態を示す断面図である。
【図８】本発明の張り材の取付構造の更に他の実施形態を示し、その位置決め手段の断面図である。
【図９】従来の開閉ファスナを設けた車両用シートカバーの斜視図である。
【図１０】図９の開閉ファスナを拡大して示す斜視図である。
【図１１】図１０のＸＩ−ＸＩ線に沿う断面図である。
【符号の説明】
【００４２】
１  張り材の取付構造
２  被覆物
３  張り材
３ｃ  張り材の縁（一方の縁）
３ｄ  張り材の縁
４  ファスナ
４ａ  テープ（ファスナの構成部材）
５  位置決め手段
１１  凹部
１２  凸部
Ｐ１  ファスナ正規位置
Ｐ２  被覆物のファスナ正規位置に対向する位置
【図１】
2007029152.tif 000003
【図２】
2007029152.tif 000004
【図３】
2007029152.tif 000005
【図４】
2007029152.tif 000006
【図５】
2007029152.tif 000007
【図６】
2007029152.tif 000008
【図７】
2007029152.tif 000009
【図８】
2007029152.tif 000010
【図９】
2007029152.tif 000011
【図１０】
2007029152.tif 000012
【図１１】
2007029152.tif 000013